(57)【特許請求の範囲】
【請求項１】
セルラー通信ネットワークシステムで通信するために装置が使用するコンポーネントキャリアを開始／停止するための制御要素を受け取ったことに応答してシグナリングレポートを準備するように構成されたプロセッサと、
前記シグナリングレポートを送信するように構成されたトランシーバと、
を備え、
前記シグナリングレポートが、前記装置のためのアップリンクパケットスケジューリング及びリンクアダプテーションをサポートし、バッファステータスレポートを含む、
ことを特徴とする装置。
【請求項２】
前記シグナリングレポートがパワーヘッドルームレポートを含む、
ことを特徴とする請求項１に記載の装置。
【請求項３】
前記開始／停止のための制御要素が媒体アクセス制御要素であり、及び／又は前記トランシーバが、媒体アクセス制御要素を介して前記シグナリングレポートを送信するように構成される、
ことを特徴とする請求項１に記載の装置。
【請求項４】
前記開始／停止のための制御要素が、コンポーネントキャリアを開始するための制御要素、コンポーネントキャリアを停止するための制御要素というグループの少なくとも一方を含み、前記コンポーネントキャリアが、前記装置によって使用されるように構成されたコンポーネントキャリアの少なくとも１つを含む、
ことを特徴とする請求項１に記載の装置。
【請求項５】
セルラー通信ネットワークシステムで通信するために装置が使用するコンポーネントキャリアを開始／停止するための制御要素を受け取ったことに応答してシグナリングレポートを準備するステップと、
前記シグナリングレポートを送信するステップと、
を含み、
前記シグナリングレポートが、前記装置のためのアップリンクパケットスケジューリング及びリンクアダプテーションをサポートし、バッファステータスレポートを含む、
ことを特徴とする方法。
【請求項６】
前記シグナリングレポートがパワーヘッドルームレポートを含む、
ことを特徴とする請求項５に記載の方法。
【請求項７】
前記開始／停止のための制御要素が媒体アクセス制御要素であり、及び／又は前記送信ステップが、媒体アクセス制御要素を介して前記シグナリングレポートを送信するステップを含む、
ことを特徴とする請求項５に記載の方法。
【請求項８】
前記開始／停止のための制御要素が、コンポーネントキャリアを開始するための制御要素、コンポーネントキャリアを停止するための制御要素というグループの少なくとも一方を含み、前記コンポーネントキャリアが、前記装置によって使用されるように構成されたコンポーネントキャリアの少なくとも１つを含む、
ことを特徴とする請求項５に記載の方法。
【請求項９】
プロセッサのためのプログラムであって、前記プログラムが前記プロセッサ上で実行されたときに前記プロセッサに請求項５から請求項８のいずれか１項に記載のステップを実行させるためのソフトウェアコード部分を含む、
ことを特徴とするコンピュータプログラム。
【請求項１０】
前記ソフトウェアコード部分を記憶するコンピュータ可読記録媒体に記録されている、
ことを特徴とする請求項９に記載のコンピュータプログラム。
【請求項１１】
前記プログラムが、前記プロセッサの内部メモリ内に直接ロード可能である、
ことを特徴とする請求項９に記載のコンピュータプログラム。
【発明の詳細な説明】
【技術分野】
【０００１】
本発明は、キャリアアグリゲーションにおけるシグナリングレポートの送信に関する。特に、本発明は、キャリアアグリゲーションにおけるバッファステータス及びパワーヘッドルームレポートの送信に関する。
【背景技術】
【０００２】
Ｅ−ＵＴＲＡＮ（進化型ユニバーサル地上波無線アクセスネットワーク）のリリース８で標準化された、アップリンクパケットスケジューリング及びリンクアダプテーションをサポートするためのシグナリングレポートの中に、バッファステータスレポート（ＢＳＲ）及びパワーヘッドルームレポート（ＰＨＲ）がある。ＢＳＲは、ＵＥ（ユーザ装置）バッファ内の送信に利用できるデータ量をｅＮＢ（進化型ノードＢ）に通知するために使用される。ＰＨＲは、ＵＥがその最大送信パワー能力のどれほど近くで動作しているかについての情報を伝え、従って、ＵＥに特定の送信帯域幅を割り当てる際に生じるＳＩＮＲ（信号対干渉雑音比）をｅＮＢが推定できるようにするために重要である。ＢＳＲは、通常、ｅＮＢが適切なトランスポートブロックサイズを選択するために使用し、ＰＨＲは、通常、適切な変調及びコード化体系（ＭＣＳ）を選択するために使用される。
【０００３】
Ｅ−ＵＴＲＡＮのリリース１０では、最大１００ＭＨｚのより広い送信帯域幅をサポートするために、及びスペクトルアグリゲーションのために、２又はそれ以上のコンポーネントキャリア（ＣＣ）をアグリゲート（集約）するキャリアアグリゲーション（ＣＡ）が導入されている。ＣＡでは、同じｅＮＢから発信される異なる数のＣＣと、ＵＬ（アップリンク）及びＤＬ（ダウンリンク）で異なり得る帯域幅とをアグリゲートするようにＵＥを構成することができる。キャリアアグリゲーションの原理を図１に示しており、ここでは、５×２０ＭＨｚのコンポーネントキャリアを含むＬＴＥ（ロングタームエボリューション）ａｄｖａｎｃｅｄシステムの帯域幅を示している。３ＧＰＰ（第３世代パートナーシッププロジェクト）リリース８のＵＥは、単独のＣＣによってサービスを提供されると想定されるが、リリース１０の端末は、同じＴＴＩ（伝送時間間隔）内に複数のアグリゲートされたＣＣ上で同時に送信又は受信を行うように構成することができる。
【０００４】
ＣＡでは、ＵＥのために構成されたコンポーネントキャリアを、ＭＡＣ（媒体アクセス制御）制御要素によって動的に開始／停止することができる。ＣＣの開始／停止が行われたときに、ｅＮＢがＵＥの最新のバッファステータス及びパワーヘッドルームについての知識を取得するためには、ｅＮＢが、ＰＨＲレポート機能のＲＲＣ（無線リソース制御）接続再構成を強要する必要がある。ＰＨＲレポート機能の再構成は、ＰＨＲの直接的なトリガとなるが、これによりアップリンクでＲＲＣ応答がトリガされ、これが優先度の高いデータの到着とみなされ、従ってＢＳＲがトリガされるので、ＢＳＲの間接的なトリガにもなる。
【０００５】
すなわち、ＢＳＲは、１）優先度の高いデータの到着時、２）周期的レポート時、又は３）ＢＳＲを収容するのに十分に大きなパディングの発生時にトリガされる。ＰＨＲは、１）経路損失の変化時、２）周期的レポート時、又は３）レポート機能の再構成時にトリガされる。
【発明の概要】
【発明が解決しようとする課題】
【０００６】
本発明は、ＣＣの開始／停止が行われたときに、ｅＮＢにＵＥのバッファステータス及びパワーヘッドルームについての最新の知識を迅速に提供することを目的とする。
【課題を解決するための手段】
【０００７】
このことは、添付の特許請求の範囲で定義されるような装置、方法、及びコンピュータプログラム製品によって実現される。
【０００８】
本発明の実施形態によれば、ユーザ装置が、セルラー通信ネットワークシステムで通信するために使用するコンポーネントキャリアを開始／停止するための制御要素を受け取ったことに応答してシグナリングレポートを準備し、シグナリングレポートを送信する。
【０００９】
従って、ＣＣの開始／停止が行われたときに、ＲＲＣ接続再構成を実行する必要なくＵＥからｅＮＢにシグナリングレポートを提供することができる。
【００１０】
以下、添付図面を参照しながら本発明を実施形態として説明する。
【図面の簡単な説明】
【００１１】
【図１】ＬＴＥ−Ａｄｖａｎｃｅｄシステムの帯域幅を形成するためのコンポーネントキャリアの基本図である。
【図２】本発明の実施形態によるＵＥの構造を示す概略ブロック図である。
【図３】本発明の実施形態によるＵＥ、ｅＮＢ、及びＥ−ＵＴＲＡＮ間のシグナリングを示すシグナリング図である。
【発明を実施するための形態】
【００１２】
図２を参照すると、ユーザ装置（ＵＥ）１０が、プロセッサ１１、メモリ１２、及びトランシーバ１３を備え、これらはバス１４を介して接続される。ＵＥ１０は、Ｅ−ＵＴＲＡＮのリリース１０に準拠することができる。
【００１３】
メモリ１２は、プログラムを記憶することができ、トランシーバ１３は、１又はそれ以上の無線リンクを介してｅＮＢと双方向無線通信するための１又はそれ以上のアンテナ（図示せず）に結合された好適な無線周波数（ＲＦ）トランシーバとすることができる。
【００１４】
「接続された（ｃｏｎｎｅｃｔｅｄ）」、「結合された（ｃｏｕｐｌｅｄ）」という用語、又はこれらのあらゆる変形は、２又はそれ以上の要素間の直接的又は間接的なあらゆる接続又は結合を意味し、互いに「接続された（ｃｏｎｎｅｃｔｅｄ）」又は「結合された（ｃｏｕｐｌｅｄ）」２つの要素間に１又はそれ以上の中間要素が存在することを含むことができる。要素間の結合又は接続は、物理的なものでも、論理的なものでも、又はこれらの組み合わせであってもよい。本明細書では、２つの要素を、非限定的な例として、１又はそれ以上のワイヤ、ケーブル、及びプリント式電気接続を使用して、並びに無線周波数領域、マイクロ波領域、及び光（可視及び不可視の両方）領域内の波長を有するような電磁エネルギーを使用して互いに「接続される（ｃｏｎｎｅｃｔｅｄ）」又は「結合される（ｃｏｕｐｌｅｄ）」とみなすことができる。
【００１５】
メモリ１２に記憶されたプログラムは、プロセッサ１１による実行時に、ＵＥ１０が以下で詳述するような本発明の例示的な実施形態に従って動作できるようにするプログラム命令を含むことができる。スケジューリンググラント及び許可されるリソース／サブフレームは時間に依存するため、プロセッサ１１には、要求される適当な時間間隔及び時間スロット内で送受信を行うための様々な装置間の同期を可能にするためにクロックが元々備わっている。トランシーバ１３は、送信機及び受信機の両方を含み、これらの各々には、一般にモデムとして知られている変調器／復調器が元々備わっている。
【００１６】
一般に、本発明の例示的な実施形態は、メモリ１２に記憶されたコンピュータソフトウェアによって実施することができ、図示の装置の一部又は全部において、ＵＥ１０のプロセッサ１１により、又はハードウェアにより、又はソフトウェア及び／又はファームウェアとハードウェアの組み合わせにより実行することができる。
【００１７】
一般に、ＵＥ１０の様々な実施形態は、以下に限定されるわけではないが、移動局、携帯電話機、無線通信機能を有する携帯情報端末（ＰＤＡ）、無線通信機能を有するポータブルコンピュータ、無線通信機能を有するデジタルカメラなどの画像取り込み装置、無線通信機能を有するゲーム機、無線通信機能を有する音楽保存再生機器、無線インターネットアクセス及び閲覧が可能なインターネット機器、並びにこのような機能の組み合わせを内蔵したポータブル装置又は端末を含むことができる。
【００１８】
メモリ１２は、ローカル技術環境に適したいずれのタイプであってもよく、半導体ベースのメモリ素子、磁気メモリ素子及びシステム、光学メモリ素子及びシステム、固定メモリ、及び取り外し可能メモリなどのあらゆる好適なデータ記憶技術を使用して実装することができる。プロセッサ１１は、ローカル技術環境に適したいずれのタイプであってもよく、非限定的な例として、汎用コンピュータ、専用コンピュータ、マイクロプロセッサ、デジタルシグナルプロセッサ（ＤＳＰ）、及びマルチコアプロセッサアーキテクチャに基づくプロセッサのうちの１又はそれ以上を含むことができる。
【００１９】
本発明の実施形態は、集積回路モジュールなどの様々な構成要素で実施することができる。集積回路の設計は、概して高度に自動化されたプロセスである。論理レベルの設計を、半導体基板上にエッチング及び形成される準備ができている半導体回路の設計に転換するために複雑かつ強力なソフトウェアツールを利用することができる。
【００２０】
カリフォルニア州マウンテンビューのＳｙｎｏｐｓｙｓ社、及びカリフォルニア州サンホセのＣａｄｅｎｃｅ  Ｄｅｓｉｇｎ社により提供されるようなプログラムは、十分に確立した設計ルール並びに事前に記憶した設計モジュールのライブラリを使用して、自動的に導体を導き半導体チップ上に構成部品を位置決めする。半導体回路の設計が完了すると、結果として得られる（Ｏｐｕｓ、ＧＤＳＩＩなどの）標準化された電子フォーマットの形の設計は、製造のために半導体加工施設すなわち「ｆａｂ」へ送られる。
【００２１】
本発明の実施形態によれば、ＵＥ１０のプロセッサ１１が、ＵＥ１０がセルラー通信ネットワークシステムで通信するために使用するコンポーネントキャリアを開始／停止するための制御要素を受け取ったこと応答してシグナリングレポートを準備し、このシグナリングレポートをトランシーバ１３が送信する。ＵＥ１０は、トランシーバ１３を介してＥ−ＵＴＲＡＮから、例えば、ＵＥ１０が現在通信しているＥ−ＵＴＲＡＮのｅＮＢから開始／停止のための制御要素を受け取ることができる。トランシーバ１３は、ＵＥ１０が現在通信しているｅＮＢにシグナリングレポートを送信することができる。
【００２２】
トランシーバ１３により送信されるシグナリングレポートは、ＵＥ１０のためのアップリンクパケットスケジューリング及びリンクアダプテーションをサポートすることができる。シグナリングレポートは、バッファステータスレポート及び／又はパワーヘッドルームレポートを含むことができる。
【００２３】
開始／停止のための制御要素は、媒体アクセス制御要素とすることができ、ＭＡＣプロトコルに準拠することができる。トランシーバ１３は、ＭＡＣプロトコルに準拠する媒体アクセス制御要素を介してシグナリングレポートを送信することができる。
【００２４】
開始／停止のための制御要素は、コンポーネントキャリアを開始するための制御要素、及び／又はコンポーネントキャリアを停止するための制御要素とすることができる。コンポーネントキャリアは、ＵＥ１０によって使用されるように構成されたコンポーネントキャリアの少なくとも１つを含むことができる。
【００２５】
従って、本発明の実施形態によれば、ＰＨＲ及びＢＳＲのための新たなトリガ、すなわちＣＣの開始／停止が導入される。ＣＣの開始／停止は、ＭＡＣ制御要素によって実行されるので、この新たなトリガは、開始／停止のためのＭＡＣ制御要素の受け取りであると説明することもできる。このトリガを開始のみに制限し、従って停止を除外することもできる。このトリガを、構成されたＣＣの一部にさらに制限することもできる。このような制限は、ＢＳＲ及びＰＨＲで異なってもよい。例えば、ＰＨＲは、いずれかのＣＣの開始及び停止時、すなわち開始／停止のためのＭＡＣ制御要素の受信時にトリガできるのに対し、ＢＳＲは開始時にのみトリガすることができる。
【００２６】
図３は、本発明の実施形態による、ＵＥ１０、ｅＮＢ２０、及びＥ−ＵＴＲＡＮ３０間のシグナリングを示すシグナリング図である。
【００２７】
ステップ１において、ＵＥ１０が、セルラー通信ネットワークシステムで通信するために使用するコンポーネントキャリアを開始／停止するための制御要素を受け取る。図３に示す実施形態によれば、セルラー通信システムはＥ−ＵＴＲＡＮ３０を含む。ＵＥ１０は、Ｅ−ＵＴＲＡＮ３０の、例えばＵＥ１０が現在通信しているｅＮＢ２０から、開始／停止のための制御要素を受け取ることができる。図３に示す実施形態によれば、開始／停止のための制御要素は、媒体アクセス制御要素である。
【００２８】
ＵＥ１０は、制御要素を受け取ると、ステップ２においてシグナリングレポートを準備する。このシグナリングレポートは、ｅＮＢ２０によるＵＥ１０のためのアップリンクパケットスケジューリング及びリンクアダプテーションをサポートすることができる。図３に示す実施形態によれば、シグナリングレポートは、ＢＳ／ＰＨレポートを含む。
【００２９】
ステップ３において、ＵＥ１０が、ＢＳ／ＰＨレポートをｅＮＢ２０に送信する。図３に示す実施形態によれば、ＢＳ／ＰＨレポートは、媒体アクセス制御要素を介して送信される。
【００３０】
上述したように、開始／停止のための制御要素は、コンポーネントキャリアを開始するための制御要素及び／又はコンポーネントキャリアを停止するための制御要素を含むことができ、これらのコンポーネントキャリアは、ＵＥ１０によって使用されるように構成されたコンポーネントキャリアの少なくとも１つを含むことができる。ＢＳＲ及びＰＨＲで異なるトリガが存在することができ、例えば、ＰＨＲは、いずれかのＣＣを開始／停止するためのＭＡＣ制御要素の受信時に、ＵＥ１０が準備して送信できるのに対し、ＵＥ１０がＢＳＲを準備して送信するのは、開始のためのＭＡＣ制御要素を受信したときのみである。これらのトリガを、構成されたＣＣの一部にさらに制限することもできる。
【００３１】
本発明の態様によれば、ＵＥ１０などの装置が、セルラー通信ネットワークシステムで通信するために使用するコンポーネントキャリアを開始／停止するための制御要素を受け取ったことに応答してシグナリングレポートを準備するための準備手段と、シグナリングレポートを送信するための送信手段とを含む。準備手段はプロセッサ１１を含むことができ、送信手段はトランシーバ１３を含むことができる。
【００３２】
シグナリングレポートは、装置のためのアップリンクパケットスケジューリング及びリンクアダプテーションをサポートし、及び／又はバッファステータスレポート及び／又はパワーヘッドルームレポートを含むことができる。
【００３３】
開始／停止のための制御要素は、媒体アクセス制御要素とすることができ、及び／又は送信手段は、この媒体アクセス制御要素を介してシグナリングレポートを送信することができる。
【００３４】
開始／停止のための制御要素は、コンポーネントキャリアを開始するための制御要素、コンポーネントキャリアを停止するための制御要素というグループの少なくとも一方を含むことができ、コンポーネントキャリアは、装置によって使用されるように構成されたコンポーネントキャリアの少なくとも１つを含むことができる。
【００３５】
以上の説明は本発明を例示するものであり、本発明を限定するものとして解釈すべきではないと理解されたい。当業者には、添付の特許請求の範囲により定義されるような本発明の真の思想及び範囲から逸脱することなく様々な修正及び適用が浮かぶであろう。
【符号の説明】
【００３６】
１．  ＣＣを開始／停止するためのＭＡＣ制御要素
２．  ＢＳ／ＰＨレポートを準備
３．  ＢＳ／ＰＨレポートのためのＭＡＣ制御要素
【図１】
0005512037.tif 000002
【図２】
0005512037.tif 000003
【図３】
0005512037.tif 000004